(57)【要約】【課題】強度を向上させることができる標識を提供する。【解決手段】標識１０は、配列方向に配列された複数の記号部１２を備えている。記号部１２の内側には周囲が閉じられた形状を有する空間部位１４又は配列方向へ開かれた形状を有する空間部位１６が形成されている。この空間部位１４又は空間部位１６に補強部２０が設けられている。記号部１２は連結部３０により連結されており、連結部３０は補強部２０と配列幅方向位置を一致されて設けられている。【選択図】図１
2015137046.tif 000002
【特許請求の範囲】
【請求項１】
配列方向に配列された複数の記号部と、
当該記号部によって周囲が閉じられ又は配列方向へ開かれて形成された空間部位に設けられ、前記記号部を補強する補強部と、
前記記号部間において前記補強部と配列幅方向位置を一致されて設けられ、当該記号部同士を連結する連結部と、
を備えた標識。
【請求項２】
前記連結部の配列幅方向の中心位置は、前記補強部の配列幅方向の中心位置と一致されている請求項１に記載の標識。
【請求項３】
前記記号部の配列幅方向の中心位置に対して両側に各々前記空間部位を備え、前記連結部と配列幅方向位置が一致された一方の前記空間部位に前記補強部が設けられている請求項１又は請求項２に記載の標識。
【請求項４】
前記補強部及び前記連結部の意匠は、前記記号部の意匠に対して異なっている請求項１〜請求項３のいずれか１項に記載の標識。
【請求項５】
前記記号部、前記補強部及び前記連結部は被取付体に取付け可能とされ、前記補強部及び前記連結部の意匠は、前記被取付体の前記補強部及び前記連結部の周囲の意匠と一致されている請求項４に記載の標識。
【発明の詳細な説明】
【技術分野】
【０００１】
本発明は、標識に関する。
【背景技術】
【０００２】
下記特許文献１には、自動車等の車両外装に貼付けられる装飾体が開示されている。装飾体は、例えば自動車会社のロゴマークや車名を表す文字等を型取ったエンブレムとして使用されている。このエンブレムは、複数の文字部を配列し、文字部間に連結部を設けて文字部を相互に連結した構成とされている。
【０００３】
ところで、上記エンブレムでは、連結部が文字部の上端の位置に一致させて設けられている。このため、文字部の強度や文字部と連結部との連結強度について、改善の余地があった。
【先行技術文献】
【特許文献】
【０００４】
【特許文献１】特開平１０−５３８９５号公報
【発明の概要】
【発明が解決しようとする課題】
【０００５】
本発明は上記事実を考慮し、強度を向上させることができる標識を得ることが目的である。
【課題を解決するための手段】
【０００６】
請求項１に記載された発明に係る標識は、配列方向に配列された複数の記号部と、記号部によって周囲が閉じられ又は配列方向へ開かれて形成された空間部位に設けられ、記号部を補強する補強部と、記号部間において補強部と配列幅方向位置を一致されて設けられ、記号部同士を連結する連結部と、を備えている。
【０００７】
請求項１に係る標識では、記号部が配列方向に複数配列される。そして、記号部間に連結部が設けられており、記号部同士は連結部により連結される。
【０００８】
ここで、記号部によって形成された空間部位に補強部が設けられている。このため、記号部の空間部位に沿った箇所の剛性が補強部により向上されるので、記号部の強度を向上させることができる。加えて、連結部が補強部と配列幅方向位置を一致されて設けられている。このため、記号部の強度が補強された箇所が連結部により連結されるので、標識全体の強度を向上させることができる。
【０００９】
請求項２に記載された発明に係る標識では、請求項１に係る標識において、連結部の配列幅方向の中心位置は、補強部の配列幅方向の中心位置と一致されている。
【００１０】
請求項２に係る標識によれば、補強部及び連結部の配列幅方向の中心位置が一致されているので、補強部及び連結部の双方の形状が配列幅方向の中心位置に対して略線対称とされる。このため、標識の意匠性を向上させることができる。
【００１１】
請求項３に記載された発明に係る標識では、請求項１又は請求項２に係る標識において、記号部の配列幅方向の中心位置に対して両側に各々空間部位を備え、連結部と配列幅方向位置が一致された一方の空間部位に補強部が設けられている。
【００１２】
請求項３に係る発明によれば、記号部の配列幅方向の中心位置に対して両側に各々空間部位が設けられ、連結部と配列幅方向位置が一致された一方の空間部位に補強部が設けられているので、連結部及び補強部が配列方向へ直線的に連なって配置される。このため、標識の意匠性を向上させることができる。
【００１３】
請求項４に記載された発明に係る標識では、請求項１〜請求項３のいずれか１項に係る標識において、補強部及び連結部の意匠は、記号部の意匠に対して異っている。
【００１４】
請求項４に係る発明によれば、補強部及び連結部の意匠が記号部の意匠に対して異なるので、補強部及び連結部に対する記号部の輪郭が明確になる。このため、記号部の視認性を向上させることができる。
【００１５】
請求項５に記載された発明に係る標識では、請求項４に係る標識おいて、記号部、補強部及び連結部は被取付体に取付け可能とされ、補強部及び連結部の意匠は、被取付体の補強部及び連結部の周囲の意匠と一致されている。
【００１６】
請求項５に係る標識では、補強部及び連結部の意匠が、被取付体の補強部及び連結部の周囲の意匠と一致されている。このため、被取付体の表面において補強部及び連結部が目立たなくなるので、記号部の輪郭が明確になる。従って、記号部の視認性を向上させることができる。
【発明の効果】
【００１７】
本発明に係る標識は、強度を向上させることができるという優れた効果を有する。
【図面の簡単な説明】
【００１８】
【図１】本発明の第１実施の形態に係る標識の正面図であり、（Ａ）は英大文字を記号部とする標識の正面図、（Ｂ）は数字を記号部とする標識の正面図である。
【図２】図１（Ａ）に示された標識の要部を拡大した正面図である。
【図３】（Ａ）は図１（Ａ）に示された記号部の配列方向に沿って（Ａ−Ａ線に沿って）切った標識の断面図、（Ｂ）は図１（Ａ）に示された記号部の配列幅方向に沿って（Ｂ−Ｂ線に沿って）切った一部断面を有する標識の側面図である。
【図４】（Ａ）は図１（Ａ）に示された記号部とそれ以外の他の記号部とからなる標識の正面図、（Ｂ）は他の標識の正面図である。
【図５】本発明の第２実施の形態に係る標識の正面図であり、（Ａ）は英大文字を記号部とする標識の正面図、（Ｂ）は英小文字を記号部とする標識の正面図、（Ｃ）は数字を記号部とする標識の正面図である。
【図６】（Ａ）は図５（Ａ）に示された記号部の配列幅方向に沿って（Ｃ−Ｃ線に沿って）切った一部断面を有する標識の側面図、（Ｂ）は図５（Ａ）に示された記号部と図５（Ｂ）に示された記号部と図５（Ｃ）に示された記号部とからなる変形例に係る標識の正面図、（Ｃ）は図５（Ｃ）に示された記号部と図５（Ｂ）に示された記号部とからなる変形例に係る標識の正面図である。
【図７】本発明の第３実施の形態に係る標識の正面図であり、（Ａ）は図１（Ａ）に示された記号部と図５（Ａ）に示された記号部とからなる標識の正面図、（Ｂ）は図５（Ｃ）に示された記号部と図１（Ｂ）に示された記号部とからなる標識の正面図である。
【図８】本発明の第４実施の形態に係る標識の正面図であり、（Ａ）は英大文字を記号部とする標識の正面図、（Ｂ）は英小文字を記号部とする標識の正面図、（Ｃ）は数字を記号部とする標識の正面図である。
【図９】本発明の第５実施の形態に係る標識の要部を拡大した図４に対応する正面図である。
【図１０】本発明の第６実施の形態に係る標識の要部を拡大した図４に対応する正面図である。
【発明を実施するための形態】
【００１９】
［第１実施の形態］
以下、図１〜図４を用いて、本発明の第１実施の形態に係る標識を説明する。なお、説明の便宜上、適宜、図中に示された矢印Ｘ方向は標識における記号部の配列方向又は配列幅方向を示しており、矢印Ｙ方向は標識の配列幅方向又は配列方向を示している。また、矢印Ｚ方向は標識の厚さ方向を示している。なお、車体等に対する標識の適用方向が限定されるものではない。
【００２０】
（英大文字を記号部とする標識の構成）
図１（Ａ）に示されるように、本実施の形態に係る標識１０は、矢印Ｘ方向を配列方向として直線状に配列された複数の記号部１２を備えている。配列方向に隣合う記号部１２同士は、本実施の形態では一定間隔で互いに離間されており、ブリッジと称される連結部３０により連結されている。記号部１２の配列方向における領域は符号Ｌａ、連結部３０の同一方向における領域は符号Ｌｓで示されている。
【００２１】
標識１０では、本実施の形態における主要な英大文字（アルファベットの大文字）が記号部１２とされている。詳しく説明すると、標識１０は、英大文字の「Ａ」、「Ｂ」、「Ｅ」、「Ｆ」、「Ｐ」、「Ｒ」及び「Ｓ」の記号部１２を配列して構成されている。英大文字の「Ａ」、「Ｂ」、「Ｐ」及び「Ｒ」の記号部１２の内側には周囲が閉じられた形状を有する空間部位１４が設けられている。本実施の形態では、記号部１２の矢印Ｙ方向と一致する配列幅方向上部に位置する空間部位１４に補強部２０が設けられている。また、英大文字の「Ｅ」、「Ｆ」及び「Ｓ」の記号部１２の内側には、配列方向へ（矢印Ｘ方向及び矢印Ｘ方向とは反対方向へ）開かれた形状を有する空間部位１６が設けられている。空間部位１４と同様に、本実施の形態では、記号部１２の配列幅方向上部に位置する空間部位１６に補強部２０が設けられている。また、英大文字の「Ｂ」、「Ｅ」及び「Ｓ」の記号部１２では、配列幅方向の中心位置Ａｃ（後述する記号高さＬｈの２分１の位置）の上下両側に空間部位１４か空間部位１６が設けられている。本実施の形態では、配列幅方向上部に位置する空間部位１４か空間部位１６だけに補強部２０が設けられている。
【００２２】
標識１０を構成する英大文字は上記「Ａ」等の記号部１２に限定されるものではなく、他の英大文字の記号部１２を含んで標識１０が構成されてもよい。図４（Ａ）に示されるように、例えば他の英大文字である「Ｕ」の記号部１２が含まれた標識１０であってもよい。なお、英大文字の「Ｕ」の記号部１２の内側には配列方向ではなく配列幅方向へ開いた形状を有する空間部位１８が設けられている。この空間部位１８に補強部２０は設けられていない。図示を省略した他の英大文字の「Ｈ」、「Ｖ」、「Ｗ」、「Ｘ」、「Ｙ」等の記号部１２は、他の英大文字の「Ｕ」の記号部１２と同様に、内側の空間部位に補強部２０を設けていない。また、図示を省略した他の英大文字の「Ｃ」、「Ｇ」等の記号部１２では配列方向へ開いた形状を有する空間部位が、他の英大文字の「Ｄ」、「Ｏ」等の記号部１２の内側には周囲が閉じられた形状を有する空間部位が各々設けられている。これらの英大文字の記号部１２では１つの空間部位が設けられているが、この空間部位に補強部２０が設けられていない。これらの記号部１２は、配列幅方向の中心位置Ａｃの両側に空間部位１４か空間部位１６が設けられた上記英大文字の「Ａ」等の記号部１２とは区別されている。また、他の英大文字の「Ｉ」、「Ｔ」の記号部１２の内側では、空間部位が無いので、補強部２０が設けられていない。
【００２３】
図２に示されるように、記号部１２は、配列方向と一致する方向を記号幅Ｌｗ（領域Ｌａと同一）とし、配列幅方向と一致する方向を記号高さＬｈとしている。図３（Ａ）及び図３（Ｂ）に示されるように、記号部１２は、矢印Ｚ方向と一致する方向を記号厚さＴａとしている。記号部１２は、記号幅Ｌｗ方向及び記号高さＬｈ方向に均一な厚さを有する例えば有色又は無色の樹脂材料の射出成形により形成された記号部本体１２Ａを備えている。本実施の形態では、記号部本体１２Ａの意匠面となる表面１２Ｂ及び側面１２Ｃに表面加工層１２Ｄが設けられており、車体等への取付面（又は貼付面）となり、かつ表面１２Ｂと対向する裏面１２Ｅに表面加工層１２Ｄが設けられていない。表面加工層１２Ｄは例えば銀光沢を有するクロムメッキにより形成されている。なお、表面加工層１２Ｄは、クロムメッキに限定されるものではなく、クロムメッキ以外の他のメッキ、塗装等により構成してもよい。また、表面加工層１２Ｄは、記号部本体１２Ａの表面に皮革模様、木目模様、岩目模様、砂目模様、なし地模様、幾何学模様等のシボ加工を施して構成してもよい。また、記号部本体１２Ａの裏面１２Ｅに表面加工層１２Ｄが設けられてもよい。この場合、マスキング処理等の手間が無くなるので、表面加工層１２Ｄを簡単に形成することができる。後述する少なくとも表面加工層２０Ｄ及び表面加工層３０Ｄは、表面加工層１２Ｄと同様に、裏面２０Ｅ及び裏面３０Ｅに設けられてもよい。
【００２４】
図３（Ａ）に示されるように、補強部２０は記号部本体１２Ａと一体に構成された補強部本体２０Ａを備えている。補強部２０の補強厚さＴｂは、記号厚さＴａと異なる厚さとされており、本実施の形態では記号厚さＴａに比べて薄くされている。補強部本体２０Ａは記号部本体２０Ａと同様に例えば樹脂材料により形成されている。補強部本体２０Ａの意匠面となる表面２０Ｂには表面加工層１２Ｄと一体に構成されかつ同一の（同一製造工程により形成された）表面加工層２０Ｄが設けられている。補強部本体２０Ａの表面２０Ｂと対向する裏面２０Ｅには表面加工層２０Ｄが設けられていない。更に、表面加工層２０Ｄの表面には表面加工層２０Ｄとは異なる表面加工層２０Ｆが設けられている。この表面加工層２０Ｆは例えば有色塗装層、ここでは黒色塗装層により構成されている。なお、有色塗装層に代えて、表面加工層２０Ｆは、記号部１２の表面加工層１２Ｄと異なるシボ加工を施して構成してもよい。
【００２５】
また、図２に示されるように、例えば英大文字の「Ａ」の記号部１２では、配列幅方向上部の形状が、三角形ではなく、配列方向に引延ばされて記号幅Ｌａと同等の寸法となる矩形状とされている。これにより、記号部１２の空間部位１４か空間部位１６の形状が配列方向を長手方向とする矩形状とされ、この空間部位１４か空間部位１６に補強部２０が設けられている。記号部１２では全体として矩形状の字体（書体）とされることが好ましい。
【００２６】
図１（Ａ）及び図２に示されるように、連結部３０は、配列方向に隣合う記号部１２間において、補強部２０と配列幅方向位置を一致されて、ここでは同等の幅で設けられている。詳しく説明すると、連結部３０の配列幅方向における連結幅Ｓｗは補強部２０の配列幅方向における補強幅Ｂｗと同一とされている。連結幅Ｓｗの中心位置（中心線）Ｓｃは補強幅Ｂｗの中心位置（中心線）Ｂｃと一致されている。ここで、「同一」とは、完全同一が含まれると共に、加工ばらつき等の許容範囲内のばらつきも含まれる意味で使用されている。
【００２７】
図２、図３（Ａ）及び図３（Ｂ）に示されるように、連結部３０は記号部本体１２Ａと一体に構成された連結部本体３０Ａを備えている。連結部３０の連結厚さＴｓはここでは補強厚さＴｂと同一の厚さで構成されている。連結部３０の断面構造は補強部２０の断面構造と同一である。つまり、連結部本体３０Ａは記号部本体１２Ａと一体に構成されている。更に、連結部本体３０Ａの意匠面となる表面３０Ｂ及び側面３０Ｃに表面加工層２０Ｄと同一の表面加工層３０Ｄが設けられており、表面加工層３０Ｄの表面に表面加工層２０Ｆと同一の表面加工層３０Ｆが設けられている。本実施の形態では、表面３０Ｂと対向する裏面３０Ｅに表面加工層３０Ｄは設けられていない。
【００２８】
主要な英大文字以外の他の英大文字の「Ｕ」の記号部１２が例えば標識１０に含まれる場合、図４（Ａ）に示されるように、配列幅方向における位置を変えずに、他の英大文字の「Ｕ」の記号部１２に連結部３０が直接連結されている。同様に、図４（Ｂ）に示されるように、他の英大文字の「Ｋ」及び「Ｉ」の記号部１２が含まれて「ＲＩＫＡ」なる標識１０を構成する場合、配列幅方向における位置を変えずに、他の英大文字の「Ｋ」及び「Ｉ」の記号部１２に連結部３０が直接連結されている。
【００２９】
なお、図１（Ａ）に示される英大文字の記号部１２では、配列方向のすべてにおいて、配列幅方向上部の空間部位１４か空間部位１６に補強部２０が設けられている。本実施の形態では、一部の記号部１２による空間部位１４か空間部位１６に補強部２０が設けられてもよい。例えば、左側に配列される英大文字の「Ａ」、「Ｂ」及び「Ｅ」の記号部１２において、「Ｂ」の記号部１２による空間部位１４に補強部２０を設けずに、「Ａ」及び「Ｅ」の記号部１２による空間部位１４及び空間部位１６に補強部２０が設けられてもよい。また、英大文字の記号部１２では、配列方向の間隔が一定とされているが、本実施の形態では、配列方向の間隔を部分的に変えてもよい。更に、英大文字の記号部１２では、すべて同一の記号幅Ｌｗ及び記号高さＬｈとされているが、本実施の形態では、部分的に記号幅Ｌｗ又は記号高さＬｈを変えた記号部１２が配置されてもよい。
【００３０】
（数字を記号部とする標識の構成）
図１（Ｂ）に示される第１実施の形態に係る標識４０は、標識１０と同様に、矢印Ｘ方向を配列方向として直線状に配列された複数の記号部４２を備えている。配列方向に隣合う記号部４２同士は、一定間隔で互いに離間されており、連結部３０により連結されている。標識１０と同様に、標識４０において、記号部４２の配列方向における領域は符号Ｌａ、連結部３０の同一方向における領域は符号Ｌｓで示されている。
【００３１】
標識４０では、本実施の形態における主要な数字（アラビア数字）が記号部４２とされている。詳しく説明すると、標識４０は、数字の「２」、「３」、「５」、「６」、「８」及び「９」の記号部４２を配列して構成されている。数字の「８」及び「９」の記号部４２の内側には周囲が閉じられた形状を有する空間部位４４が設けられている。本実施の形態では、記号部４２の配列幅方向上部に位置する空間部位４４に補強部２０が設けられている。ここで、数字の「６」及び「８」の記号部４２の内側にも配列幅方向下部に周囲が閉じられた形状を有する空間部位が設けられているが、この空間部位に補強部２０が設けられていない。また、数字の「２」、「３」、「５」及び「６」の記号部４２の内側には配列方向へ（矢印Ｘ方向及び矢印Ｘ方向とは反対方向へ）開かれた形状を有する空間部位４６が設けられている。空間部位４４と同様に、本実施の形態では、記号部４２の配列幅方向上部に位置する空間部位４６に補強部２０が設けられている。ここで、数字の「２」、「３」、「５」及び「９」の記号部４２の内側にも配列幅方向下部に開かれた形状を有する空間部位が設けられているが、この空間部位に補強部２０が設けられていない。
【００３２】
標識４０を構成する数字は、上記「２」等の記号部４２に限定されるものではなく、図示を省略した他の数字「１」、「４」、「７」及び「０」の記号部４２も含まれてもよい。なお、数字の「４」及び「０」の記号部４２の内側には周囲が閉じられた形状を有する空間部位が各々設けられているが、この空間部位には補強部２０が設けられていない。また、数字の「７」の記号部４２の内側には配列方向及び配列幅方向へ開かれた形状を有する空間部位が設けられているが、この空間部位に補強部２０は設けられていない。また、数字の「１」の記号部４２は空間部位が無いので、補強部２０が設けられていない。
【００３３】
標識１０における連結部３０と同様に、標識４０の連結部３０は、配列方向に隣合う記号部４２間において、補強部２０と配列幅方向位置を一致されて、ここでは同等の幅で設けられている。連結部３０の配列幅方向における連結幅Ｓｗは補強部２０の配列幅方向における補強幅Ｂｗと同一とされている。そして、連結幅Ｓｗの中心位置Ｓｃは補強幅Ｂｗの中心位置Ｂｃと一致されている。
【００３４】
また、標識４０の記号部４２、補強部２０並びに連結部３０の断面構造は、図３（Ａ）及び図３（Ｂ）に示される標識１０の記号部１２、補強部２０並びに連結部３０の断面構造と同一構造とされている。
【００３５】
（本実施の形態の作用及び効果）
本実施の形態に係る標識１０では、図１（Ａ）に示されるように、英大文字の記号部１２が配列方向に複数配列される。そして、記号部１２間に連結部３０が設けられており、記号部１２同士は連結部３０により連結される。
【００３６】
ここで、記号部１２の空間部位１４又は空間部位１６に補強部２０が設けられている。このため、記号部１２の空間部位１４又は空間部位１６に沿った箇所（図２にハッチングを付した領域）の剛性が補強部２０により向上されるので、記号部１２の強度を向上させることができる。加えて、特に図２に示されるように、連結部３０が補強部２０と配列幅方向位置を一致されて設けられている。このため、記号部１２の強度が補強された箇所（図２にハッチングを付した領域）が連結部３０により連結されるので、標識１０全体の強度を向上させることができる。従って、本実施の形態に係る標識１０によれば、強度を向上させることができる。なお、図１（Ｂ）に示される本実施の形態に係る標識４０では、記号部４２が数字とされているが、本実施の形態に係る標識１０により得られる作用効果と同様の作用効果を得ることができる。
【００３７】
更に、本実施の形態に係る標識１０では、補強部２０及び連結部３０が配列幅方向における同等の位置に同等の幅（補強幅Ｂｗ及び連結幅Ｓｗ）で設けられている。このため、記号部１２の配列方向に沿って補強部２０と連結部３０とが直線状に繋がる形状となり、この補強部２０及び連結部３０の全体形状と複数の記号部１２の全体形状との統一性を図ることができるので、意匠性を向上させることができる。
【００３８】
また、本実施の形態に係る標識１０では、特に図２に示されるように、補強部２０及び連結部３０の配列幅方向の中心位置Ｂｃ及び中心位置Ｓｃが一致される。このため、中心位置Ｂｃ及び中心位置Ｓｃに対して補強部２０及び連結部３０の双方の配列幅方向の形状が略線対称とされる。このため、標識１０の意匠性をより一層向上させることができる。標識４０についても、標識１０と同様に、意匠性をより一層向上させることができる。
【００３９】
更に、本実施の形態に係る標識１０では、記号部１２の配列幅方向の中心位置Ａｃに対して両側に空間部位１４か空間部位１６が設けられ、連結部３０と配列幅方向位置が一致された一方の空間部位１４か空間部位１６に補強部２０が設けられている。このため、連結部３０及び補強部２０が配列方向へ直線的に連なって配置されるので、標識１０の意匠性を向上させることができる。
【００４０】
また、本実施の形態に係る標識１０では、図３（Ａ）及び図３（Ｂ）に示されるように、補強部２０及び連結部３０の意匠が記号部１２の意匠に対して異なって構成されている。詳しく説明すると、記号部１２の意匠面はここではクロムメッキにより形成された表面加工層１２Ｄにより構成されると共に、補強部２０の意匠面となる表面加工層２０Ｆ及び連結部３０の意匠面となる表面加工層３０Ｆは有色塗装層やシボ加工により構成されている。このため、補強部２０及び連結部３０に対して記号部１２の輪郭が明確になるので、記号部１２が読易く、記号部１２の視認性を向上させることができる。なお、図１（Ｂ）に示される本実施の形態に係る標識４０でも、本実施の形態に係る標識１０により得られる作用効果と同様に、視認性を向上させることができるという作用効果を得ることができる。
【００４１】
また、本実施の形態に係る標識１０では、上記の通り、記号部１２及び連結部３０を含めて全体の強度を向上させることができる。このため、例えば記号部１２の英大文字の線幅を細くする等の意匠性の自由度を向上させることができる。なお、本実施の形態に係る標識４０でも、本実施の形態に係る標識１０により得られる作用効果と同様に、意匠性の自由度を向上させることができるという作用効果を得ることができる。
【００４２】
更に、本実施の形態に係る標識１０では、図３（Ａ）に示されるように、記号部１２の空間部位１４又は空間部位１６に補強部２０が設けられている。これにより、記号部１２の記号部本体１２Ａの表面１２Ｂと補強部２０の補強部本体２０Ａの表面２０Ｂとの段差が減少される。本実施の形態では、表面加工層１２Ｄ及び表面加工層２０Ｄがクロムメッキにより形成されている。上記段差の減少により、空間部位１４又は空間部位１６におけるクロムメッキ液の回込み（循環）が改善されて、クロムメッキ液が段差部分の隅々まで行届くので、表面加工層１２Ｄ及び表面加工層２０Ｄの仕上がりの品質を向上させることができる。例えば、斑やメッキ不良箇所が無くなり、銀光沢が鮮やかなクロムメッキ層に仕上げることができる。なお、本実施の形態に係る標識４０でも、本実施の形態に係る標識１０により得られる作用効果と同様の作用効果を得ることができる。
【００４３】
［第２実施の形態］
図５及び図６を用いて、本発明の第２実施の形態に係る標識を説明する。なお、第２実施の形態並びにそれ以降の実施の形態において、第１実施の形態に係る標識１０の構成と同等の機能を有する構成には同一符号を付し、同一符号が付された構成の説明は重複するので省略する。
【００４４】
（英大文字を記号部とする標識の構成）
図５（Ａ）に示されるように、第２実施の形態に係る標識５０は、図１（Ａ）に示される標識１０と同様に、矢印Ｘ方向を配列方向として直線状に配列された複数の記号部５２を備えている。配列方向に隣合う記号部５２同士は、一定間隔で互いに離間されており、連結部３２により連結されている。標識１０と同様に、標識５０において、記号部５２の配列方向における領域は符号Ｌａ、連結部３２の同一方向における領域は符号Ｌｓで示されている。
【００４５】
標識５０では、標識１０と同様に、主要な英大文字が記号部５２とされている。詳しく説明すると、標識５０は、英大文字の「Ａ」、「Ｂ」、「Ｅ」、「Ｆ」、「Ｐ」、「Ｒ」及び「Ｓ」の記号部５２を配列して構成されている。英大文字の「Ａ」、「Ｂ」、「Ｐ」及び「Ｒ」の記号部５２の内側には周囲が閉じられた形状を有する空間部位５４が設けられている。本実施の形態では、記号部５２の配列幅方向上部に位置する空間部位５４に補強部２２が設けられておらず、英大文字の「Ｂ」の記号部５２において配列幅方向下部に位置する空間部位５４に補強部２２が設けられている。また、英大文字の「Ｅ」、「Ｆ」及び「Ｓ」の記号部５２の内側には配列方向へ開かれた形状を有する空間部位５６が設けられている。本実施の形態では、記号部５２の配列幅方向上部に位置する空間部位５６に補強部２２が設けられておらず、英大文字の「Ｅ」及び「Ｓ」の記号部５２において配列幅方向下部に位置する空間部位５６に補強部２２が設けられている。加えて、英大文字の「Ａ」及び「Ｒ」の記号部５２の内側には配列幅方向下部に位置し配列幅方向へ開かれた形状を有する空間部位５８が設けられており、この空間部位５８に補強部２２Ｇが設けられている。更に、英大文字の「Ｆ」及び「Ｐ」の記号部５２の内側には配列幅方向下部に位置し配列方向及び配列幅方向へ開かれた形状を有する空間部位５８Ａが設けられており、この空間部位５８Ａに補強部２２Ｈが設けられている。標識１０と同様に、標識５０を構成する英大文字は上記「Ａ」等の記号部５２に限定されるものではなく、他の英大文字の記号部５２を含んで標識５０が構成されてもよい。
【００４６】
標識１０における連結部３０と同様に、標識５０の連結部３２は、配列方向に隣合う記号部５２間において、補強部２２と配列幅方向位置を一致されて、ここでは同等の幅で設けられている。連結部３２の配列幅方向における連結幅Ｓｗは補強部２２の配列幅方向における補強幅Ｂｗと同一幅とされている。そして、連結幅Ｓｗの中心位置Ｓｃは補強幅Ｂｗの中心位置Ｂｃと一致されている。
【００４７】
標識５０の記号部５２、補強部２２並びに連結部３２の断面構造は、図３（Ａ）に示される標識１０の記号部１２、補強部２０並びに連結部３０の断面構造と同一構造とされている。つまり、記号部５２では記号部本体（５２Ａ）の表面（５２Ｂ）に表面加工層が設けられている。また、補強部２２では補強部本体の表面に２層の表面加工層が設けられると共に、連結部３２では連結部本体の表面に２層の表面加工層が設けられている。なお、補強部２２Ｇ及び補強部２２Ｈは補強部２２と同一の構成とされている。
【００４８】
図６（Ａ）に示されるように、標識５０の記号部５２は、配列幅方向上部から配列幅方向下部へ向かって（記号高さＬｈに沿って）記号厚さＴａからそれよりも薄い記号厚さＴｃに変化し、記号部本体５２Ａの表面５２Ｂを突出させる曲面形状で形成されている。なお、標識５０の記号部５２は、図３（Ｂ）に示される標識１０の記号部１２と同様に、配列幅方向に一定の記号厚さＴａにより構成されてもよい。
【００４９】
（英小文字を記号部とする標識の構成）
図５（Ｂ）に示される第２実施の形態に係る標識６０は、標識５０と同様に、矢印Ｘ方向を配列方向として直線状に配列された複数の記号部６２を備えている。配列方向に隣合う記号部６２同士は、一定間隔で互いに離間されており、連結部３２により連結されている。標識５０と同様に、標識６０において、記号部６２の配列方向における領域は符号Ｌａ、連結部３２の同一方向における領域は符号Ｌｓで示されている。
【００５０】
標識６０では、本実施の形態における主要な英小文字（アルファベットの小文字）が記号部６２とされている。詳しく説明すると、標識６０は、英小文字の「ａ」、「ｂ」、「ｃ」、「ｄ」、「ｇ」、「ｉ」、「ｊ」、「ｏ」、「ｐ」、「ｑ」及び「ｚ」の記号部６２を配列して構成されている。英小文字の「ａ」、「ｂ」、「ｄ」、「ｇ」、「ｏ」、「ｐ」及び「ｑ」の記号部６２の内側には周囲が閉じられた形状を有する空間部位６４が設けられている。本実施の形態では、記号部６２の空間部位６４に補強部２２が設けられている。ここで、記号部６２の配列幅方向における空間部位６４の位置は、図５（Ａ）に示される記号部５２の配列幅方向下部の空間部位５４の位置と同等である。従って、空間部位５４に設けられた補強部２２と同等の補強部２２が空間部位６４に設けられている。また、英小文字の「ｃ」、「ｉ」、「ｊ」及び「ｚ」の記号部６２の内側には配列方向に開かれた形状を有する空間部位６６が設けられている。記号部６２の空間部位６６には補強部２２が設けられている。標識５０と同様に、標識６０を構成する英小文字は上記「ａ」等の記号部６２に限定されるものではなく、他の英小文字の記号部６２を含んで標識６０が構成されてもよい。
【００５１】
標識５０における連結部３２と同様に、標識６０の連結部３２は、配列方向に隣合う記号部６２間において、補強部２２と配列幅方向位置を一致されて、ここでは同等の幅で設けられている。連結部３２の配列幅方向における連結幅Ｓｗは補強部２２の配列幅方向における補強幅Ｂｗと同一幅とされている。そして、連結幅Ｓｗの中心位置Ｓｃは補強幅Ｂｗの中心位置Ｂｃと一致されている。
【００５２】
標識６０の記号部６２、補強部２２並びに連結部３２の断面構造は、標識５０の記号部５２、補強部２２並びに連結部３２の断面構造と同一構造とされている（図３（Ａ）及び図６（Ａ）参照）。
（数字を記号部とする標識の構成）
図５（Ｃ）に示される第２実施の形態に係る標識７０は、図１（Ｂ）に示される標識４０と同様に、矢印Ｘ方向を配列方向として直線状に配列された複数の記号部７２を備えている。配列方向に隣合う記号部７２同士は、一定間隔で互いに離間されており、連結部３２により連結されている。標識５０と同様に、標識７０において、記号部７２の配列方向における領域は符号Ｌａ、連結部３２の同一方向における領域は符号Ｌｓで示されている。
【００５３】
標識７０では、図１（Ｂ）に示される標識４０と同様に、本実施の形態における主要な数字が記号部７２とされている。詳しく説明すると、標識７０は、数字の「２」、「３」、「５」、「６」、「８」及び「９」の記号部７２を配列して構成されている。数字の「６」及び「８」の記号部７２の内側には周囲が閉じられた形状を有する空間部位７４が設けられている。本実施の形態では、記号部７２の配列幅方向下部に位置する空間部位７４に補強部２２が設けられている。ここで、数字の「８」及び「９」の記号部７２の内側にも配列幅方向上部に位置する空間部位が設けられているが、この空間部位に補強部２２が設けられていない。また、数字の「２」、「３」、「５」及び「９」の記号部７２の内側には配列方向へ開かれた形状を有する空間部位７６が設けられている。空間部位７４と同様に、本実施の形態では、記号部７２の配列幅方向下部に位置する空間部位７６に補強部２２が設けられている。ここで、数字の「２」、「３」、「５」、「６」の記号部７２の内側にも配列幅方向上部に位置する空間部位が設けられているが、この空間部位に補強部２２が設けられていない。
【００５４】
標識７０を構成する数字は、上記「２」等の記号部７２に限定されるものではなく、図示を省略した他の数字「１」、「４」、「７」及び「０」の記号部７２も含まれてもよい。なお、図１（Ｂ）に示される標識４０と同様に、他の数字の記号部７２では、補強部２２が設けられていない。
【００５５】
標識５０における連結部３２と同様に、標識７０の連結部３２は、配列方向に隣合う記号部７２間において、補強部２２と配列幅方向位置を一致されて、ここでは同等の幅で設けられている。連結部３２の配列幅方向における連結幅Ｓｗは補強部２０の配列幅方向における補強幅Ｂｗと同一幅とされている。そして、連結幅Ｓｗの中心位置Ｓｃは補強幅Ｂｗの中心位置Ｂｃと一致されている。
【００５６】
また、標識７０の記号部７２、補強部２２並びに連結部３２の断面構造は、標識５０の記号部５２、補強部２２並びに連結部３２の断面構造と同一構造とされている。
【００５７】
（変形例：英文字と数字とを組合せた標識の構成）
図６（Ｂ）に示される標識５０Ａは、図５（Ａ）に示される英大文字の「Ｂ」の記号部５２と、図５（Ｂ）に示される英小文字の「ａ」の記号部６２と、図５（Ｃ）に示される数字の「２」の記号部７２とを組合せて構成されている。記号部５２の内側には空間部位５４が設けられており、この空間部位５４に補強部２２が設けられている。記号部６２の内側には空間部位６４が設けられており、この空間部位６４に補強部２２が設けられている。記号部７２の内側には空間部位７６が設けられており、この空間部位７６に補強部２２が設けられている。記号部５２及び記号部６２は配列幅方向下部に設けられた連結部３２により連結されている。同様に、記号部６２及び記号部７２は配列幅方向下部に設けられた連結部３２により連結されている。
【００５８】
図６（Ｃ）に示される標識５０Ｂは、図５（Ｃ）に示される数字の「５」の記号部７２と、図５（Ｂ）に示される英小文字の「ｉ」の記号部６２とを組合せて構成されている。記号部７２の内側には空間部位７６が設けられており、この空間部位７６に補強部２２が設けられている。記号部６２の内側には空間部位６６が設けられており、この空間部位６６に補強部２２が設けられている。記号部７２及び記号部６２は配列幅方向下部に設けられた連結部３２により連結されている。
【００５９】
（本実施の形態の作用及び効果）
図５（Ａ）に示される本実施の形態に係る標識（英大文字）５０、図５（Ｂ）に示される本実施の形態に係る標識（英小文字）６０、図５（Ｃ）に示される本実施の形態に係る標識（数字）７０によれば、第１実施の形態に係る標識１０、４０により得られる作用効果と同様の作用効果を得ることができる。
【００６０】
また、本実施の形態に係る標識５０では、図５（Ａ）に示されるように、記号部５２の配列幅方向下部に位置する空間部位５４又は空間部位５６に補強部２２が設けられると共に、補強部２２と配列幅方向位置を一致されて連結部３２が設けられている。図６（Ａ）に示されるように、標識５０は、記号部５２の配列幅方向（記号高さＬｈ方向）上部が記号厚さＴａを有し、配列幅方向下部が記号厚さＴａよりも薄い記号厚さＴｃを有する構成とされている。このため、記号部５２の剛性が配列幅方向上部に対して配列幅方向下部で低くなるが、記号部５２の配列幅方向下部に補強部２２が設けられ、かつこの補強部２２と配列方向に一致する箇所に連結部３２が設けられているので、記号部５２を含めて標識５０全体の強度を向上することができる。加えて、記号部５２の表面５２Ｂが突出される曲面形状とされているので、記号部５２を見る角度が配列幅方向で変化しても記号部５２が立体的に視認される。このため、標識５０の意匠性を更に向上することができる。なお、図５（Ｂ）に示される標識６０、図５（Ｃ）に示される標識７０の各々でも、標識５０により得られる作用効果と同様の作用効果を得ることができる。
【００６１】
［第３実施の形態］
図７を用いて、本発明の第３実施の形態に係る標識を説明する。図７（Ａ）に示されるように、本実施の形態に係る標識８０Ａは、第１実施の形態に係る標識１０と第２実施の形態に係る標識５０とを組合せて構成されている。詳しく説明すると、標識８０Ａは、図１（Ａ）に示される英大文字の「Ａ」、「Ｂ」の記号部１２と、図５（Ａ）に示される英大文字の「Ｂ」、「Ｓ」の記号部５２とを組合せて構成されている。英大文字の「Ａ」、「Ｂ」の記号部１２の内側には配列幅方向上部に空間部位１４が設けられており、この空間部位１４には補強部２０が設けられている。また、記号部１２同士は配列幅方向上部に設けられた連結部３０により連結されている。
【００６２】
ここで、英大文字の「Ｂ」の記号部１２は、英大文字の「Ｓ」の記号部５２との連結関係において、記号部５２としても使用されている。この英大文字の「Ｂ」の記号部５２の内側には配列幅方向下部に空間部位５４が設けられており、この空間部位５４には補強部２２が設けられている。また、英大文字の「Ｓ」の記号部５２の内側には配列幅方向下部に空間部位５６が設けられており、この空間部位５６には補強部２２が設けられている。記号部５２同士は配列幅方向下部に設けられた連結部３２により連結されている。
【００６３】
図７（Ｂ）に示される本実施の形態に係る標識８０Ｂは、図５（Ｃ）に示される数字の「２」、「３」の記号部７２と、図１（Ｂ）に示される数字の「３」、「５」の記号部４２とを組合せて構成されている。数字の「２」、「３」の記号部７２の内側には配列幅方向下部に空間部位７６が設けられており、この空間部位７６には補強部２２が設けられている。また、記号部７２同士は配列幅方向下部に設けられた連結部３２により連結されている。
【００６４】
ここで、数字の「３」の記号部７２は、数字の「５」の記号部４２との連結関係において、記号部４２としても使用されている。この数字の「３」の記号部４２の内側には配列幅方向上部に空間部位４６が設けられており、この空間部位４６には補強部２０が設けられている。また、数字の「５」の記号部４２の内側には配列幅方向上部に空間部位４６が設けられており、この空間部位４６には補強部２０が設けられている。記号部４２同士は配列幅方向上部に設けられた連結部３０により連結されている。
【００６５】
（本実施の形態の作用及び効果）
図７（Ａ）に示される本実施の形態に係る標識８０Ａ、図７（Ｂ）に示される本実施の形態に係る標識８０Ｂによれば、第１実施の形態に係る標識１０、４０又は第２実施の形態に係る標識５０、６０、７０により得られる作用効果と同様の作用効果を得ることができる。
【００６６】
また、図７（Ａ）に示される本実施の形態に係る標識８０Ａでは、複数の記号部１２の全体形状と配列幅方向上部に設けられた補強部２０及び連結部３０の全体形状との統一性を図ることができる。加えて、複数の記号部５２の全体形状と配列幅方向下部に設けられた補強部２２及び連結部３２の全体形状との統一性も図ることができる。従って、標識８０Ａの全体形状の統一性を図ることができるので、意匠性を更に向上することができる。なお、図７（Ｂ）に示される本実施の形態に係る標識８０Ｂでも、本実施の形態に係る標識８０Ａにより得られる作用効果と同様に、意匠性を更に向上させることができるという作用効果を得ることができる。
【００６７】
［第４実施の形態］
図８を用いて、本発明の第４実施の形態に係る標識を説明する。第４実施の形態は、標識の記号部の配列方向を変えた例を説明するものである。
【００６８】
（英大文字を記号部とする標識の構成）
図８（Ａ）に示されるように、第４実施の形態に係る標識１００は、図１（Ａ）に示される標識１０等とは配列方向が異なり、図２に示される文字高さＬｈ方向と一致する矢印Ｙ方向を配列方向として直線状に配列された複数の記号部１０２を備えている。配列方向に隣合う記号部１０２同士は、一定間隔で互いに離間されており、連結部３４により連結されている。標識１０と同様に、標識１００において、記号部１０２の配列方向における領域は符号Ｌａ、連結部３４の同一方向における領域は符号Ｌｓで示されている。
【００６９】
標識１００では、主要な英大文字が記号部１０２とされている。詳しく説明すると、標識１００は、英大文字の「Ａ」、「Ｂ」、「Ｄ」、「Ｈ」、「Ｏ」、「Ｐ」、「Ｒ」及び「Ｕ」の記号部１０２を配列して構成されている。英大文字の「Ａ」、「Ｂ」、「Ｄ」、「Ｏ」、「Ｐ」及び「Ｒ」の記号部１０２の内側には周囲が閉じられた形状を有する空間部位１０４が設けられており、この空間部位１０４に補強部２４が設けられている。また、英大文字の「Ｈ」、「Ｒ」及び「Ｕ」の記号部１０２の内側には配列方向へ開かれた形状を有する空間部位１０６が設けられており、この空間部位１０６に補強部２４が設けられている。本実施の形態では、英大文字の「Ｐ」の記号部１０２の内側に配列方向及び配列幅方向に開かれた形状を有する空間部位１０８Ａが設けられており、この空間部位１０８Ａにも補強部２４Ｈが設けられている。図１（Ａ）に示される標識１０等と同様に、標識１００を構成する英大文字は上記「Ａ」等の記号部１０２に限定されるものではなく、他の英大文字の記号部１０２を含んで標識１００が構成されてもよい。
【００７０】
標識１０における連結部３０と同様に、標識１００の連結部３４は、配列方向に隣合う記号部１０２間において、補強部２４と配列幅方向位置を一致されて、ここでは同等の幅で設けられている。連結部３４の配列幅方向における連結幅Ｓｗは補強部２４の配列幅方向における補強幅Ｂｗと同一幅とされている。そして、連結幅Ｓｗの中心位置Ｓｃは補強幅Ｂｗの中心位置Ｂｃと一致されている。
【００７１】
標識１００の記号部１０２、補強部２４並びに連結部３４の断面構造は、図３（Ａ）に示される標識１０の記号部１２、補強部２０並びに連結部３０の断面構造と同一構造とされている。
【００７２】
（英小文字を記号部とする標識の構成）
図８（Ｂ）に示される第４実施の形態に係る標識１１０は、標識１００と同様に、矢印Ｙ方向を配列方向として直線状に配列された複数の記号部１１２を備えている。配列方向に隣合う記号部１１２同士は、一定間隔で互いに離間されており、連結部３４により連結されている。標識１００と同様に、標識１１０において、記号部１１２の配列方向における領域は符号Ｌａ、連結部３４の同一方向における領域は符号Ｌｓで示されている。
【００７３】
標識１１０では、主要な英小文字が記号部１１２とされている。詳しく説明すると、標識１１０は、英小文字の「ａ」、「ｂ」、「ｄ」、「ｇ」、「ｈ」、「ｎ」、「ｏ」、「ｐ」及び「ｑ」の記号部１１２を配列して構成されている。英小文字の「ａ」、「ｂ」、「ｄ」、「ｇ」、「ｏ」、「ｐ」及び「ｑ」の記号部１１２の内側には周囲が閉じられた形状を有する空間部位１１４が設けられており、この空間部位１１４に補強部２４が設けられている。また、英小文字の「ｈ」及び「ｎ」の記号部１１２の内側には配列方向に開かれた形状を有する空間部位１１６が設けられており、この空間部位１１６に補強部２４が設けられている。本実施の形態では、英小文字の「ａ」及び「ｇ」の記号部１１２の内側に配列幅方向に開かれた形状を有する空間部位１１８が設けられている。この空間部位１１８には補強部２４Ｇが設けられている。また、英小文字の「ｂ」、「ｄ」、「ｈ」、「ｐ」及び「ｑ」の記号部１１２の内側に配列方向及び配列幅方向に開かれた形状を有する空間部位１１８Ａが設けられている。この空間部位１１８にも補強部２４Ｈが設けられている。標識１００と同様に、標識１１０を構成する英小文字は上記「ａ」等の記号部１１２に限定されるものではなく、他の英小文字の記号部１１２を含んで標識１１０が構成されてもよい。
【００７４】
標識１００における連結部３４と同様に、標識１１０の連結部３４は、配列方向に隣合う記号部１１２間において、補強部２４と配列幅方向位置を一致されて、ここでは同等の幅で設けられている。連結部３４の配列幅方向における連結幅Ｓｗは補強部２４の配列幅方向における補強幅Ｂｗと同一幅とされている。そして、連結幅Ｓｗの中心位置Ｓｃは補強幅Ｂｗの中心位置Ｂｃと一致されている。
【００７５】
標識１１０の記号部１１２、補強部２４並びに連結部３４の断面構造は、標識１００の記号部１０２、補強部２４並びに連結部３４の断面構造と同一構造とされている（図３（Ａ）参照）。
（数字を記号部とする標識の構成）
図８（Ｃ）に示される第４実施の形態に係る標識１２０は、標識１００と同様に、矢印Ｙ方向を配列方向として直線状に配列された複数の記号部１２２を備えている。配列方向に隣合う記号部１２２同士は、一定間隔で互いに離間されており、連結部３４により連結されている。標識１００と同様に、標識１２０において、記号部１２２の配列方向における領域は符号Ｌａ、連結部３４の同一方向における領域は符号Ｌｓで示されている。
【００７６】
標識１２０では、主要な数字が記号部１２２とされている。詳しく説明すると、標識１２０は、数字の「４」、「５」、「６」、「７」、「８」、「９」及び「０」の記号部１２２を配列して構成されている。数字の「６」、「８」、「９」及び「０」の記号部１２２の内側には周囲が閉じられた形状を有する空間部位１２４が設けられており、この空間部位１２４に補強部２４が設けられている。また、数字の「４」の記号部１２２の内側には配列方向へ開かれた形状を有する空間部位１２６が設けられており、この空間部位１２６に補強部２４が設けられている。本実施の形態では、数字の「５」、「６」及び「９」の記号部１２２の内側に配列幅方向に開かれた形状を有する空間部位１２８が設けられている。この空間部位１２８にも補強部２４Ｇが設けられている。また、数字の「４」及び「７」の記号部１２２の内側に配列方向及び配列幅方向に開かれた形状を有する空間部位１２８Ａが設けられている。この空間部位１２８Ａにも補強部２４Ｈが設けられている。標識１２０を構成する数字は、上記「４」等の記号部１２２に限定されるものではなく、図示を省略した他の数字「１」、「２」及び「３」の記号部１２２を含んでもよい。
【００７７】
標識１００における連結部３４と同様に、標識１２０の連結部３４は、配列方向に隣合う記号部１２２間において、補強部２４と配列幅方向位置を一致されて、ここでは同等の幅で設けられている。連結部３４の配列幅方向における連結幅Ｓｗは補強部２２の配列幅方向における補強幅Ｂｗと同一幅とされている。そして、連結幅Ｓｗの中心位置Ｓｃは補強幅Ｂｗの中心位置Ｂｃと一致されている。
【００７８】
また、標識１２０の記号部１２２、補強部２４並びに連結部３４の断面構造は、標識１００の記号部１０２、補強部２４並びに連結部３４の断面構造と同一構造とされている。
（本実施の形態の作用及び効果）
図８（Ａ）に示される本実施の形態に係る標識（英大文字）１００、図８（Ｂ）に示される本実施の形態に係る標識（英小文字）１１０、図８（Ｃ）に示される本実施の形態に係る標識（数字）１２０によれば、記号部１０２、１１２、１２２の配列方向は変わるものの、第１実施の形態に係る標識１０、４０により得られる作用効果と同様の作用効果を得ることができる。
【００７９】
［第５実施の形態］
図９を用いて、本発明の第５実施の形態に係る標識を説明する。本実施の形態では、図９に示されるように、上記図２に示される標識１０が、被取付体１３０に取付られている。被取付体１３０は、例えば車両として自動車であれば、インストルメントパネル、ステアリング等の内装や、クォータパネル、トランクパネル、バックドア等の外装である。また、車両として自動二輪車であれば、被取付体１３０は、メータパネル等の内装や、燃料タンク、カウル等の外装である。
【００８０】
そして、標識１０の補強部２０及び連結部３０の意匠面としての表面色は、被取付体１３０の補強部２０及び連結部３０の少なくとも周囲の意匠面としての表面色と一致されている。詳しく説明すると、第１実施の形態では、図３（Ａ）に示されるように、表面加工層２０Ｆにより補強部２０の意匠面は例えば黒色に塗装されている。図３（Ａ）及び図３（Ｂ）に示されるように、表面加工層３０Ｆにより連結部３０の意匠面は例えば黒色に塗装されている。一方、被取付体１３０の意匠面としての表面色は例えば黒色とされている。なお、黒色に限定されるものではなく、補強部２０及び連結部３０の意匠面が赤色に塗装されていれば被取付体１３０の意匠面は赤色とされ、補強部２０及び連結部３０の意匠面が青色に塗装されていれば被取付体１３０の意匠面は青色とされる。また、有色塗装に限定されるものではなく、被取付体１３０の意匠面にシボ加工が施されていれば、補強部２０及び連結部３０の意匠面もシボ加工が施される。
【００８１】
（本実施の形態の作用及び効果）
本実施の形態に係る標識１０では、上記第１実施の形態に係る標識１０により得られる作用効果と同様の作用効果を得ることができる。更に、本実施の形態に係る標識１０では、図９に示されるように、補強部２０及び連結部３０の意匠が、被取付体１３０の意匠と一致されて、被取付体１３０の意匠に対する隠蔽意匠（色彩の場合には保護色）とされている。このため、被取付体１３０の表面において補強部２０及び連結部３０が目立たなくなるので、記号部１２の輪郭が明確になる。従って、記号部１２が読易くなるので、記号部１２の視認性を向上させることができる。
【００８２】
なお、本実施の形態は、標識１０に限定されるものではなく、前述の標識４０、５０、５０Ａ、５０Ｂ、６０、７０、８０Ａ、８０Ｂ、１００、１１０、１２０のすべてに適用可能である。
【００８３】
［第６実施の形態］
図１０を用いて、本発明の第６実施の形態に係る標識を説明する。本実施の形態では、図１０に示されるように、上記図２に示される標識１０において、記号部１２同士が連結部３６により連結されている。連結部３６の配列幅方向の連結幅Ｓｗｗは、補強部２０の同一方向の補強幅Ｂｗ（図２参照）よりも大きく設定されている。連結部３６の中心位置Ｓｃは補強部２０の中心位置Ｂｃと一致されている。
【００８４】
また、標識１０は、記号部１２同士を一点鎖線で示される連結部３８により連結してもよい。連結部３８の配列幅方向の連結幅Ｓｗｓは、補強部２０の同一方向の補強幅Ｂｗよりも小さく設定されている。連結部３８の中心位置Ｓｃは補強部２０の中心位置Ｂｃと一致されている。
【００８５】
（本実施の形態の作用及び効果）
本実施の形態に係る標識１０では、記号部１２が大きな連結幅Ｓｗｗを有する連結部３６により連結されているので、全体の強度をより一層向上させることができる。更に、本実施の形態に係る標識１０では、連結部３６の中心位置Ｓｃと補強部２０の中心位置Ｂｃとが一致されているので、形状の統一性が向上されて意匠性を向上させることができる。
【００８６】
また、本実施の形態に係る標識１０では、記号部１２が小さな連結幅Ｓｗｓを有する連結部３８により連結されているが、記号部１２に補強部２０が設けられると共に、補強部２０の配列幅方向における位置に一致させて連結部３８が設けられているので、全体の強度を向上させることができる。更に、本実施の形態に係る標識１０では、連結部３８の中心位置Ｓｃと補強部２０の中心位置Ｂｃとが一致されているので、形状の統一性が向上されて意匠性を向上させることができる。
【００８７】
［上記実施の形態の補足説明］
本発明は、上記実施の形態に限定されるものではなく、要旨を逸脱しない範囲において例えば以下の通り変形可能である。例えば、本発明は、上記実施の形態における記号部の英数字の書体やフォントに限定されない。例えば、記号部の英数字が斜体であってもよい。また、上記実施の形態では、英数字を主体する標識に本発明を適用した例を説明したが、本発明は、記号部の例えば文字を英文字に限定するものではない。例えば、本発明は、漢字、ひらがな、カタカナ、ハングル文字、アラビア文字等の文字にも適用可能である。
【００８８】
また、上記実施の形態に係る標識では、矢印Ｘ方向若しくは矢印Ｙ方向に一致する方向を記号部の配列方向としているが、本発明は、矢印Ｘ方向に対して±４５度の範囲内若しくは矢印Ｙ方向に対して±４５度未満の範囲内で傾斜する方向を配列方向としてもよい。更に、上記実施の形態に係る標識では、補強部の配列幅方向位置と連結部の配列幅方向位置とが一致されていたが、本発明では、補強部の配列幅方向位置と連結部の配列幅方向位置との少なくとも一部が一致されていればよい。
【００８９】
また、本発明は、上記第１実施の形態に係る標識と上記第２実施の形態に係る標識とを組合わせた標識とされてもよい。詳しく説明すると、例えば英大文字の記号部の内側の配列幅方向上部の空間部位に補強部を設けてこの補強部と同等の位置に連結部が設けられると共に、記号部の内側の配列幅方向下部の空間部位にも補強部を設けてこの補強部と同等の位置に連結部が設けられた標識が構成されてもよい。つまり、配列幅方向上部及び配列幅方向下部に設けた２本の連結部が配列方向に沿って平行に延設されてもよい。
【００９０】
また、本発明は、補強部若しくは連結部のいずれか一方或いは双方の表面高さを記号部の表面高さよりも高くした標識を構成してもよい。つまり、この標識は記号部の表面よりも補強部若しくは連結部が突出する構成とされている。更に、本発明では、記号部の補強部と連結部との間の部位の表面高さが、補強部及び連結部の表面高さの少なくとも一方と一致されてもよい。この場合、記号部の当該部位の意匠が補強部及び連結部の意匠と一致されてもよい。
【００９１】
更に、上記実施の形態では、車両に取付けられる標識に本発明を適用した例を説明したが、本発明は車両に限定されない。例えば、車両に関連した機器として、本発明は、キーを差込む操作無しでドアロックの開閉やエンジンの始動停止ができる携帯型キーにも適用可能である。また、本発明は、車両とは直接無関係なパーソナルコンピュータ、携帯端末、携帯電話機等の電子機器や、モニタ（テレビジョン）、冷蔵庫、洗濯機等の電気製品等にロゴマークとして取付けられる標識に適用可能である。また、本発明は、バック、靴、腕時計、アクセサリ等の装飾品に取付ける標識に適用可能である。
【符号の説明】
【００９２】
１０、４０、５０、５０Ａ、５０Ｂ、６０、７０、８０Ａ、８０Ｂ、１００、１１０、１２０  標識
１２、４２、５２、６２、７２、１０２、１１２、１２２  記号部
１２Ａ  記号部本体
１２Ｄ、２０Ｄ、２０Ｆ、３０Ｄ、３０Ｆ  表面加工層
１４、１６、１８、１８Ａ、４４、４６、５４、５６、５８、５８Ａ、６４、６６、７４、７６、１０４、１０６、１０８Ａ、１１４、１１６、１１８、１１８Ａ、１２４、１２６、１２８、１２８Ａ  空間部位
２０、２２、２４  補強部
２０Ａ  補強部本体
３０、３２、３４、３６、３８  連結部
３０Ａ  連結部本体
１３０  被取付体
【図１】
2015137046.tif 000003
【図２】
2015137046.tif 000004
【図３】
2015137046.tif 000005
【図４】
2015137046.tif 000006
【図５】
2015137046.tif 000007
【図６】
2015137046.tif 000008
【図７】
2015137046.tif 000009
【図８】
2015137046.tif 000010
【図９】
2015137046.tif 000011
【図１０】
2015137046.tif 000012